(57)【要約】【課題】貼り合わせ後の２枚の基板の位置精度を高めるとともに、基板材料の利用効率および生産性を向上させることができる情報表示用パネルの製造方法を提供する。【解決手段】少なくとも一方が透明な２枚の基板である基板１、基板２間に表示媒体を封入し、表示媒体に電界を付与することによって、表示媒体を移動させて画像等の情報を表示する情報表示用パネルの製造方法では、一方の基板として、ロール１１に巻かれた基板シート１２を表示媒体充填工程および表示媒体除去工程を通した後に枚葉に裁断した枚葉基板１５を使用し、枚葉基板１５と他方の基板である枚葉基板１６とを貼り合わせ工程において貼り合わせることにより、情報表示用パネルを作製する。【選択図】図４
2007163659.tif 000002
【特許請求の範囲】
【請求項１】
少なくとも一方が透明な２枚の基板間に表示媒体を封入し、表示媒体に電界を付与することによって、表示媒体を移動させて画像等の情報を表示する情報表示用パネルの製造方法であって、
一方の基板として、ロールに巻かれたシート状の連続した基板に表示媒体充填工程および表示媒体除去工程を経た後に枚葉に裁断した枚葉基板を使用し、該枚葉基板と他方の枚葉基板とを貼り合わせ工程において貼り合わせることにより情報表示用パネルを作製することを特徴とする情報表示用パネルの製造方法。
【請求項２】
前記他方の枚葉基板は、ロールに巻かれたシート状の連続した基板を貼り合わせ工程前で枚葉に裁断した枚葉基板であることを特徴とする請求項１記載の情報表示用パネルの製造方法。
【請求項３】
前記２枚の基板の少なくとも一方は、可撓性を有する樹脂基板であることを特徴とする請求項１または２に記載の情報表示用パネルの製造方法。
【請求項４】
請求項１〜３の何れか１項記載の情報表示用パネルの製造方法を用いて作製することを特徴とする情報表示用パネル。
【発明の詳細な説明】
【技術分野】
【０００１】
本発明は、少なくとも一方が透明な２枚の基板間に表示媒体を封入し、表示媒体に電界を付与することによって、表示媒体を移動させて画像等の情報を表示する情報表示用パネルの製造方法、および、該製造方法を用いて作製した情報表示用パネルに関するものである。
【背景技術】
【０００２】
従来より、液晶（ＬＣＤ）に代わる情報表示装置として、電気泳動方式、エレクトロクロミック方式、サーマル方式、２色粒子回転方式等の技術を用いた情報表示装置が提案されている。
【０００３】
これら従来技術は、ＬＣＤと比較すると、通常の印刷物に近い広い視野角が得られる、消費電力が小さい、メモリー機能を有している等のメリットがあることから、次世代の安価な情報表示装置に使用可能な技術として考えられており、携帯端末用情報表示、電子ペーパー等への展開が期待されている。特に最近では、分散粒子と着色溶液から成る分散液をマイクロカプセル化し、これを対向する基板間に配置して成る電気泳動方式が提案され、期待が寄せられている。
【０００４】
しかしながら、電気泳動方式では、液中を粒子が泳動するために液の粘性抵抗により応答速度が遅くなるという問題がある。さらに、低比重の溶液中に酸化チタン等の高比重の粒子を分散させているため沈降しやすくなっており、分散状態の安定性維持が難しく、情報表示の繰り返し安定性に欠けるという問題を抱えている。また、マイクロカプセル化にしても、セルサイズをマイクロカプセルレベルにして、見かけ上、上述した欠点が現れにくくしているだけであって、本質的な問題は何ら解決されていない。
【０００５】
一方、溶液中での挙動を利用する電気泳動方式に対し、溶液を使わず、導電性粒子と電荷輸送層とを基板の一部に組み入れる方式も提案され始めている（例えば、非特許文献１参照）。しかし、この方式は、電荷輸送層、さらには電荷発生層を配置するために構造が複雑化するとともに、導電性粒子に電荷を一定に注入することは難しいため、表示情報を書き換える際の安定性に欠けるという問題もある。
【０００６】
上述した種々の問題を解決するための一方法として、少なくとも一方が透明な２枚の基板間に表示媒体を封入し、表示媒体に電界を付与することによって、表示媒体を移動させて画像等の情報を表示する情報表示用パネルが知られている。
【０００７】
このような情報表示用パネルの製造方法として、本願出願人は、先に、一方の基板としてロールに巻かれたシート状の連続した基板を用いて、その連続した基板に表示媒体充填工程および表示媒体除去工程を経た後に、他方の基板として枚葉にした基板（例えば、ロールに巻かれたシート状の連続した基板を枚葉に裁断した基板）を貼り合わせることにより、連続基板と枚葉基板とを貼り合わせた後に所定寸法に裁断して情報表示用パネルを作製する情報表示用パネルの製造方法を提案済みである。
【０００８】
【非特許文献１】趙  国来、外３名、“新しいトナーディスプレイデバイス（Ｉ）”、１９９９年７月２１日、日本画像学会年次大会（通算８３回）“Japan Hardcopy’99”論文集、p.249-252
【発明の開示】
【発明が解決しようとする課題】
【０００９】
上記連続した基板および枚葉にした基板を貼り合わせる情報表示用パネルの製造方法を用いて情報表示用パネルを作製する場合には、貼り合わせ工程における２枚の基板の一方の基板がロールに巻かれたシート状の連続した基板であるため、２枚の基板の貼り合わせ時にアライメントが取りずらくなり、貼り合わせ後に２枚の基板の位置精度を確保することが困難である。また、一方の基板であるロールに巻かれたシート状の連続した基板において、他方の基板を貼り合わせる部分の前後の部分は、貼り合わせをプレス等により行う場合には製品として使用せずに捨ててしまう部分となるため、基板材料の利用効率が低下してしまう。さらに、一方の基板がロールに巻かれて連続している状態で他方の基板との貼り合わせを行うため、貼り合わせ工程のタクトタイムが長くなり、生産性が低下してしまう。
【００１０】
本発明は、貼り合わせ後の２枚の基板の位置精度を高めるとともに、基板材料の利用効率および生産性を向上させることができる情報表示用パネルの製造方法を提供することを第１の目的とする。
本発明は、上記情報表示用パネルの製造方法を用いて、基板材料を無駄にせずに、高い生産性で作製した、２枚の基板の位置精度の高い情報表示用パネルを提供することを第２の目的とする。
【課題を解決するための手段】
【００１１】
上記第１の目的を達成するため、本発明の情報表示用パネルの製造方法は、少なくとも一方が透明な２枚の基板間に表示媒体を封入し、表示媒体に電界を付与することによって、表示媒体を移動させて画像等の情報を表示する情報表示用パネルの製造方法であって、一方の基板として、ロールに巻かれたシート状の連続した基板に表示媒体充填工程および表示媒体除去工程を経た後に枚葉に裁断した枚葉基板を使用し、該枚葉基板と他方の枚葉基板とを貼り合わせ工程において貼り合わせることにより情報表示用パネルを作製することを特徴とする。
【００１２】
また、本発明の情報表示用パネルの製造方法の好適例としては、前記他方の枚葉基板は、ロールに巻かれたシート状の連続した基板を貼り合わせ工程前で枚葉に裁断した枚葉基板であること、および、前記２枚の基板の少なくとも一方は、可撓性を有する樹脂基板であること、がある。
【００１３】
上記第２の目的を達成するため、本発明の情報表示用パネルは、請求項１〜３の何れか１項記載の情報表示用パネルの製造方法を用いて作製することを特徴とする。
【発明の効果】
【００１４】
上記構成の本発明の情報表示用パネルの製造方法によれば、少なくとも一方が透明な２枚の基板間に表示媒体を封入し、表示媒体に電界を付与することによって、表示媒体を移動させて画像等の情報を表示する情報表示用パネルを製造する際には、一方の基板として、ロールに巻かれたシート状の連続した基板に表示媒体充填工程および表示媒体除去工程を経た後に枚葉に裁断した枚葉基板を使用して、該枚葉基板と他方の枚葉基板とを貼り合わせ工程において貼り合わせることにより情報表示用パネルを作製するので、貼り合わせ工程における一方の基板としてロールに巻かれたシート状の連続した基板の代わりに枚葉基板を用いるため、２枚の枚葉基板としてから貼り合わせるので基板の貼り合わせ時に精密なアライメントが可能になり、貼り合わせ後の２枚の基板の位置精度を高めることができるとともに、基板材料の利用効率を向上させることができる。また、ロールに巻かれたシート状の連続した基板に表示媒体充填工程および表示媒体除去工程を通してから枚葉に裁断した後に他方の枚葉基板との貼り合わせ工程を行うので、貼り合わせ工程のタクトタイムが長くなったとしても、貼り合わせ工程を並列に複数設けたり多段化した貼り合わせ工程を用いたりすることで、生産性を大きく向上させることができるようになる。
【００１５】
上記構成の本発明の情報表示用パネルによれば、請求項１〜請求項３の何れかの情報表示用パネルの製造方法を用いて作製するから、基板材料を無駄にせずに、高い生産性で作製した、２枚の基板の位置精度の高い情報表示用パネルを提供することができる。
【発明を実施するための最良の形態】
【００１６】
以下、本発明を実施するための最良の形態を図面に基づき詳細に説明する。
【００１７】
まず、本発明の対象となる情報表示用パネルの基本的な構成について説明する。本発明の対象となる情報表示用パネルでは、対向する２枚の基板間に封入した表示媒体に電界が付与される。付与された電界方向にそって、帯電した表示媒体が電界による力やクーロン力などによって引き寄せられ、表示媒体が電位の切替による電界方向の変化によって移動方向を変えることにより、画像等の情報表示がなされる。従って、表示媒体が、均一に移動し、かつ、繰り返し表示を書き換える時あるいは表示情報を継続して表示する時の安定性を維持できるように、情報表示用パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００１８】
本発明の対象となる情報表示用パネルの例を、図１（ａ），（ｂ）〜図３（ａ），（ｂ）に基づき説明する。
【００１９】
図１（ａ），（ｂ）に示す例では、少なくとも１種以上の粒子から構成される光学的反射率および帯電特性の異なる少なくとも２種以上の表示媒体３（ここでは白色表示媒体用粒子３Ｗａの粒子群からなる白色表示媒体３Ｗと黒色表示媒体用粒子３Ｂａの粒子群からなる黒色表示媒体３Ｂを示す）を、基板１、２の外部から加えられる電界に応じて、基板１、２と垂直に移動させ、黒色表示媒体３Ｂを観察者に視認させて黒色の表示を行うか、あるいは、白色表示媒体３Ｗを観察者に視認させて白色の表示を行っている。なお、図１（ｂ）に示す例では、図１（ａ）に示す例に加えて、基板１、２の間に例えば格子状に隔壁４を設けセルを形成している。また、図１（ｂ）において、手前にある隔壁は省略している。
図２（ａ），（ｂ）に示す例では、少なくとも１種以上の粒子から構成される光学的反射率および帯電特性の異なる少なくとも２種以上の表示媒体３（ここでは白色表示媒体用粒子３Ｗａの粒子群からなる白色表示媒体３Ｗと黒色表示媒体用粒子３Ｂａの粒子群からなる黒色表示媒体３Ｂを示す）を、基板１に設けた電極５と基板２に設けた電極６との間に電圧を印加することにより発生する電界に応じて、基板１、２と垂直に移動させ、黒色表示媒体３Ｂを観察者に視認させて黒色の表示を行うか、あるいは、白色表示媒体３Ｗを観察者に視認させて白色の表示を行っている。なお、図２（ｂ）に示す例では、図２（ａ）に示す例に加えて、基板１、２の間に例えば格子状に隔壁４を設けセルを形成している。また、図２（ｂ）において、手前にある隔壁は省略している。
図３（ａ），（ｂ）に示す例では、少なくとも１種以上の粒子から構成される光学的反射率および帯電性を有する１種の表示媒体３（ここでは白色表示媒体用粒子３Ｗａの粒子群からなる白色表示媒体３Ｗを示す）を、基板１に設けた電極５と基板２に設けた電極６との間に電圧を印加することにより発生する電界に応じて、基板１、２と垂直方向に移動させ、白色表示媒体３Ｗを観察者に視認させて白色の表示を行うか、あるいは、電極６または基板１の色を観察者に視認させて電極６または基板１の色の表示を行っている。なお、図３（ｂ）に示す例では、図３（ａ）に示す例に加えて、基板１、２の間に例えば格子状の隔壁４を設けセルを形成している。また、図３（ｂ）において、手前にある隔壁は省略している。
以上の説明は、粒子群からなる白色表示媒体３Ｗを粉流体からなる白色表示媒体に、粒子群からなる黒色表示媒体３Ｂを粉流体からなる黒色表示媒体に、それぞれ置き換えた場合も同様に適用することができる。
【００２０】
以下、本発明の情報表示用パネルの製造方法について詳細に説明する。本発明の情報表示用パネルは、少なくとも一方が透明な２枚の基板間に表示媒体を封入し、表示媒体に電界を付与することによって、表示媒体を移動させて画像等の情報を表示する情報表示用パネルであり、図４に例示する一連の工程によって作製する。
【００２１】
まず、一方の基板（基板１）として、ロール１１に巻かれたシート状の連続した基板（以下、基板シートという）１２を製造ラインに装着する。この基板シート１２は、可撓性を有する樹脂基板であることが好ましい。次に、基板シート１２上のパネル形成領域に所定の隔壁を形成することにより基板１内にセルを形成し、必要に応じて電極を形成した後、表示媒体充填工程において、各々のセル内に所定量の表示媒体を充填する。この表示媒体充填工程は、例えばドライメッシュ技術や電子写真技術によって行うものとする。隔壁、電極が予め形成された連続シートをロール１１に巻いておき用いることもできるし、上記したようにシートだけが巻かれたロール１１からシートを引き出して、表示媒体充填工程の前工程において、隔壁形成工程や電極形成工程を設けることもできる。この場合の隔壁形成工程や電極形成工程の順番は、製造する情報表示用パネルによって適宜変更することができる。
【００２２】
次に、表示媒体除去工程において、隔壁上の不要な表示媒体を除去する。具体的には、セル内に表示媒体を充填した基板１を収容した基板シート１２を図４の右方向に搬送し、それと同時に、除去ロール１３を反時計回転方向に回転させる。これにより、隔壁上の不要な表示媒体は、除去ロール１３によって転写除去されることになる。なお、上記表示媒体除去工程の後に、隔壁上部に接着剤を配置する接着剤配置工程を設けることもできるが、この例の場合は他方の基板側に接着剤を配置するようにしているため、上記接着剤配置工程を省略している。
【００２３】
次に、裁断工程において、基板シート１２をカッター１４によって枚葉に裁断して、枚葉基板１５を形成する。上記枚葉基板１５は、複数枚（図示例では４枚）のパネル基板１を収容した多面パネル取り用基板である。上記カッター１４としては、押し切り型、引き切り型、回転裁断型等の各種カッターを用いることができる。
【００２４】
次に、貼り合わせ工程において、表示媒体をセル内に充填した枚葉基板１５の上部に、他方の基板となる予め接着剤が配置された枚葉基板１６を接着剤配置面が下になるようにして重ね合わせ、両者を接着した後にシール剤を硬化させ、表示媒体をセル内に封止する。この貼り合わせ工程での接着は、例えば減圧ＵＶプレス技術によって行うものとする。
上記他方の基板（基板２）となる枚葉基板１６は、枚葉基板１５と同様に可撓性を有する樹脂基板であることが好ましく、例えば、枚葉基板１５と同様の工程を経る際に、基板シートに対して隔壁の形成および表示媒体の充填を行わず、代わりに接着剤の配置を行うことによって作製する。作製された枚葉基板１６は、図４に示すように、接着剤配置面が上になるようにトレイに載置して所定位置にストックしておき、貼り合わせ時に上下反転させて使用する。上記枚葉基板１６は、複数枚（図示例では４枚）の基板２を収容した多面パネル取り用基板である。
【００２５】
上記のようにして２枚の枚葉基板を貼り合わせたものは、図４に示すようにトレイに載置して所定位置にストックしておき、後に図示しないパネル裁断工程で基板１，基板２から成る情報表示用パネルを１枚ずつに切り分ける。以上により、本発明の情報表示用パネルを作製することができる。
【００２６】
本発明の情報表示用パネルの製造方法によれば、一方の基板（基板１）および他方の基板（基板２）として、連続した基板シートを枚葉に裁断した枚葉基板１５および枚葉基板１６を使用して、枚葉基板１５と枚葉基板１６とを貼り合わせ工程において貼り合わせることにより情報表示用パネルを作製するので、２枚の基板の貼り合わせ時に精密なアライメントが可能になり、貼り合わせ後の２枚の基板の位置精度を高めることができるとともに、基板材料の利用効率を向上させることができる。また、基板シート１２に表示媒体充填工程および表示媒体除去工程を通してから枚葉に裁断した後に他方の枚葉基板との貼り合わせ工程を設けたので、貼り合わせ工程のタクトタイムが長くなったとしても、貼り合わせ工程を並列に複数設けたり多段化した貼り合わせ工程を用いたりすることで、生産性を大きく向上させることができるようになる。さらに、連続した基板シート１２を貼り合わせ前に枚葉に裁断するので、通常の回転裁断型のカッターを用いた場合であっても、綺麗に枚葉に裁断することができる。
また、本発明の情報表示用パネルは、上記本発明の情報表示用パネルの製造方法を用いて作製したものであるから、基板材料を無駄にせずに、高い生産性で作製した、２枚の基板の位置精度の高い情報表示用パネルとなる。
【００２７】
以下、本発明の対象となる情報表示用パネルを構成する各部材について説明する。
【００２８】
基板については、少なくとも一方の基板はパネル外側から表示媒体の色が確認できる透明な基板であり、可視光の透過率が高くかつ耐熱性の良い材料が好適であり、フィルム状基板等の可撓性を有する樹脂基板が特に好適である。もう一方の基板となる背面基板は透明でも不透明でもかまわないが、フィルム状基板等の可撓性を有する樹脂基板が好適である。基板材料を例示すると、ポリエチレンテレフタレート、ポリエチレンナフタレート、ポリエーテルサルフォン、ポリエチレン、ポリカーボネート、ポリイミド、アクリルなどのポリマーシートや、金属シートのように可とう性のあるもの、および、ガラス、石英などの可とう性のない無機シートが挙げられる。基板の厚みは、２〜５０００μｍが好ましく、さらに５〜２０００μｍが好適であり、薄すぎると、強度、基板間の間隔均一性を保ちにくくなり、５０００μｍより厚いと、薄型情報表示用パネルとする場合に不都合がある。
【００２９】
必要に応じて設ける電極の電極形成材料としては、アルミニウム、銀、ニッケル、銅、金等の金属類やＩＴＯ、酸化インジウム、導電性酸化錫、導電性酸化亜鉛等の導電金属酸化物類、ポリアニリン、ポリピロール、ポリチオフェンなどの導電性高分子類が例示され、適宜選択して用いられる。電極の形成方法としては、上記例示の材料をスパッタリング法、真空蒸着法、ＣＶＤ（化学蒸着）法、塗布法等で薄膜状にパターニング形成する方法や、導電剤を溶媒や合成樹脂バインダーに混合して塗布してパターニング形成する方法が用いられる。視認側（表示面側）基板に設ける電極は透明である必要があるが、背面側基板に設ける電極は透明である必要がない。いずれの場合もパターン形成可能である導電性である上記材料を好適に用いることができる。なお、電極厚みは、導電性が確保でき光透過性に支障がなければ良く、３〜１０００ｎｍ、好ましくは５〜４００ｎｍが好適である。背面側基板に設ける電極の材質や厚みなどは上述した表示面側基板に設ける電極と同様であるが、透明である必要はない。なお、この場合の外部電圧入力は、直流あるいは交流を重畳しても良い。
【００３０】
必要に応じて基板に設ける隔壁４については、その形状は表示にかかわる表示媒体の種類や、配置する電極の形状、配置により適宜最適設定され、一概には限定されないが、隔壁の幅は２〜１００μｍ、好ましくは３〜５０μｍに、隔壁の高さは１０〜１００μｍ、好ましくは１０〜５０μｍに調整される。
また、隔壁を形成するにあたり、対向する両基板１、２の各々にリブを形成した後に接合する両リブ法、片側の基板上にのみリブを形成する片リブ法が考えられる。この発明では、いずれの方法も好適に用いられる。
これらのリブからなる隔壁により形成されるセルは、図５に示すごとく、基板平面方向からみて四角状、三角状、ライン状、円形状、六角状が例示され、配置としては格子状やハニカム状や網目状が例示される。表示面側から見える隔壁断面部分に相当する部分（セルの枠部の面積）はできるだけ小さくした方が良く、表示の鮮明さが増す。
ここで、隔壁の形成方法を例示すると、金型転写法、スクリーン印刷法、サンドブラスト法、フォトリソ法、アディティブ法が挙げられる。いずれの方法もこの発明の情報表示用パネルに好適に用いることができるが、これらのうち、レジストフィルムを用いるフォトリソ法や金型転写法が好適に用いられる。
【００３１】
次に、本発明の情報表示用パネルで表示媒体として用いる粉流体について説明する。なお、本発明の情報表示用パネルで用いる粉流体の名称については、本出願人が「電子粉流体（登録商標）：登録番号4636931」の権利を得ている。
【００３２】
本発明における「粉流体」は、気体の力も液体の力も借りずに、自ら流動性を示す、流体と粒子の特性を兼ね備えた両者の中間状態の物質である。例えば、液晶は液体と固体の中間的な相と定義され、液体の特徴である流動性と固体の特徴である異方性（光学的性質）を有するものである（平凡社：大百科事典）。一方、粒子の定義は、無視できるほどの大きさであっても有限の質量をもった物体であり、重力の影響を受けるとされている（丸善：物理学事典）。ここで、粒子でも、気固流動層体、液固流動体という特殊状態があり、粒子に底板から気体を流すと、粒子には気体の速度に対応して上向きの力が作用し、この力が重力とつりあう際に、流体のように容易に流動できる状態になるものを気固流動層体と呼び、同じく、流体により流動化させた状態を液固流動体と呼ぶとされている（平凡社：大百科事典）。このように気固流動層体や液固流動体は、気体や液体の流れを利用した状態である。本発明では、このような気体の力も、液体の力も借りずに、自ら流動性を示す状態の物質を、特異的に作り出せることが判明し、これを粉流体と定義した。
【００３３】
すなわち、本発明における粉流体は、液晶（液体と固体の中間相）の定義と同様に、粒子と液体の両特性を兼ね備えた中間的な状態で、先に述べた粒子の特徴である重力の影響を極めて受け難く、高流動性を示す特異な状態を示す物質である。このような物質はエアロゾル状態、すなわち気体中に固体状もしくは液体状の物質が分散質として安定に浮遊する分散系で得ることができ、本発明の情報表示用パネルで固体状物質を分散質とするものである。
【００３４】
本発明の情報表示用パネルは、少なくとも一方が透明な、対向する基板間に、例えば気体中に固体粒子が分散質として安定に浮遊するエアロゾル状態で高流動性を示す粉流体を封入するものであり、このような粉流体は、小さな電界の力でクーロン力などにより容易に安定して移動させることができる。
本発明に用いる粉流体とは、先に述べたように、気体の力も液体の力も借りずに、自ら流動性を示す、流体と粒子の特性を兼ね備えた両者の中間状態の物質である。この粉流体は、特にエアロゾル状態とすることができ、本発明の情報表示用パネルでは、気体中に固体状の物質が分散質として比較的安定に浮遊する状態で表示媒体として用いられる。
【００３５】
次に、本発明の情報表示用パネルにおいて表示媒体を構成する表示媒体用粒子（以下、粒子ともいう）について説明する。表示媒体用粒子は、そのまま該表示媒体用粒子だけで構成して表示媒体としたり、その他の粒子と合わせて構成して表示媒体としたり、粉流体となるように調整、構成して表示媒体としたりして用いられる。
粒子には、その主成分となる樹脂に、必要に応じて、従来と同様に、荷電制御剤、着色剤、無機添加剤等を含ますことができる。以下に、樹脂、荷電制御剤、着色剤、その他添加剤を例示する。
【００３６】
樹脂の例としては、ウレタン樹脂、ウレア樹脂、アクリル樹脂、ポリエステル樹脂、アクリルウレタン樹脂、アクリルウレタンシリコーン樹脂、アクリルウレタンフッ素樹脂、アクリルフッ素樹脂、シリコーン樹脂、アクリルシリコーン樹脂、エポキシ樹脂、ポリスチレン樹脂、スチレンアクリル樹脂、ポリオレフィン樹脂、ブチラール樹脂、塩化ビニリデン樹脂、メラミン樹脂、フェノール樹脂、フッ素樹脂、ポリカーボネート樹脂、ポリスルフォン樹脂、ポリエーテル樹脂、ポリアミド樹脂等が挙げられ、２種以上混合することもできる。特に、基板との付着力を制御する観点から、アクリルウレタン樹脂、アクリルシリコーン樹脂、アクリルフッ素樹脂、アクリルウレタンシリコーン樹脂、アクリルウレタンフッ素樹脂、フッ素樹脂、シリコーン樹脂が好適である。
【００３７】
荷電制御剤としては、特に制限はないが、負荷電制御剤としては例えば、サリチル酸金属錯体、含金属アゾ染料、含金属（金属イオンや金属原子を含む）の油溶性染料、４級アンモニウム塩系化合物、カリックスアレン化合物、含ホウ素化合物（ベンジル酸ホウ素錯体）、ニトロイミダゾール誘導体等が挙げられる。正荷電制御剤としては例えば、ニグロシン染料、トリフェニルメタン系化合物、４級アンモニウム塩系化合物、ポリアミン樹脂、イミダゾール誘導体等が挙げられる。その他、超微粒子シリカ、超微粒子酸化チタン、超微粒子アルミナ等の金属酸化物、ピリジン等の含窒素環状化合物及びその誘導体や塩、各種有機顔料、フッ素、塩素、窒素等を含んだ樹脂等も荷電制御剤として用いることもできる。
【００３８】
着色剤としては、以下に例示するような、有機または無機の各種、各色の顔料、染料が使用可能である。
【００３９】
黒色着色剤としては、カーボンブラック、酸化銅、二酸化マンガン、アニリンブラック、活性炭等がある。
青色着色剤としては、Ｃ．Ｉ．ピグメントブルー１５：３、Ｃ．Ｉ．ピグメントブルー１５、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダンスレンブルーＢＣ等がある。
赤色着色剤としては、ベンガラ、カドミウムレッド、鉛丹、硫化水銀、カドミウム、パーマネントレッド４Ｒ、リソールレッド、ピラゾロンレッド、ウォッチングレッド、カルシウム塩、レーキレッドＤ、ブリリアントカーミン６Ｂ、エオシンレーキ、ローダミンレーキＢ、アリザリンレーキ、ブリリアントカーミン３Ｂ、Ｃ．Ｉ．ピグメントレッド２等がある。
【００４０】
黄色着色剤としては、黄鉛、亜鉛黄、カドミウムイエロー、黄色酸化鉄、ミネラルファーストイエロー、ニッケルチタンイエロー、ネーブルイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキ、Ｃ．Ｉ．ピグメントイエロー１２等がある。
緑色着色剤としては、クロムグリーン、酸化クロム、ピグメントグリーンＢ、Ｃ．Ｉ．ピグメントグリーン７、マラカイトグリーンレーキ、ファイナルイエローグリーンＧ等がある。
橙色着色剤としては、赤色黄鉛、モリブデンオレンジ、パーマネントオレンジＧＴＲ、ピラゾロンオレンジ、バルカンオレンジ、インダンスレンブリリアントオレンジＲＫ、ベンジジンオレンジＧ、インダンスレンブリリアントオレンジＧＫ、Ｃ．Ｉ．ピグメントオレンジ３１等がある。
紫色着色剤としては、マンガン紫、ファーストバイオレットＢ、メチルバイオレットレーキ等がある。
白色着色剤としては、亜鉛華、酸化チタン、アンチモン白、硫化亜鉛等がある。
【００４１】
体質顔料としては、バライト粉、炭酸バリウム、クレー、シリカ、ホワイトカーボン、タルク、アルミナホワイト等がある。また、塩基性、酸性、分散、直接染料等の各種染料として、ニグロシン、メチレンブルー、ローズベンガル、キノリンイエロー、ウルトラマリンブルー等がある。
【００４２】
無機系添加剤の例としては、酸化チタン、亜鉛華、硫化亜鉛、酸化アンチモン、炭酸カルシウム、鉛白、タルク、シリカ、ケイ酸カルシウム、アルミナホワイト、カドミウムイエロー、カドミウムレッド、カドミウムオレンジ、チタンイエロー、紺青、群青、コバルトブルー、コバルトグリーン、コバルトバイオレット、酸化鉄、カーボンブラック、マンガンフェライトブラック、コバルトフェライトブラック、銅粉、アルミニウム粉などが挙げられる。
これらの顔料および無機系添加剤は、単独であるいは複数組み合わせて用いることができる。このうち特に黒色顔料としてカーボンブラックが、白色顔料として酸化チタンが好ましい。
【００４３】
また、本発明の表示媒体用粒子（以下、粒子ともいう）は平均粒子径d(0.5)が、０．１〜２０μｍの範囲であり、均一で揃っていることが好ましい。平均粒子径d(0.5)がこの範囲より大きいと表示上の鮮明さに欠け、この範囲より小さいと粒子同士の凝集力が大きくなりすぎるために表示媒体の移動に支障をきたすようになる。
【００４４】
さらに本発明では、各粒子の粒子径分布に関して、下記式に示される粒子径分布Spanを５未満、好ましくは３未満とする。
Span＝（ｄ(0.9)−ｄ(0.1)）／ｄ(0.5)
（但し、ｄ(0.5)は粒子の50％がこれより大きく、50％がこれより小さいという粒子径をμｍで表した数値、ｄ(0.1)はこれ以下の粒子の比率が10％である粒子径をμｍで表した数値、ｄ(0.9)はこれ以下の粒子が90％である粒子径をμｍで表した数値である。）
Spanを５以下の範囲に納めることにより、各粒子のサイズが揃い、均一な表示媒体移動が可能となる。
【００４５】
さらにまた、各粒子の相関について、使用した粒子の内、最大径を有する粒子のd(0.5)に対する最小径を有する粒子のd(0.5)の比を５０以下、好ましくは１０以下とすることが肝要である。たとえ粒子径分布Spanを小さくしたとしても、互いに帯電特性の異なる粒子が互いに反対方向に動くので、互いの粒子サイズが近く、互いの粒子が当量ずつ反対方向に容易に移動できるようにするのが好適であり、それがこの範囲となる。
【００４６】
なお、上記の粒子径分布および粒子径は、レーザー回折／散乱法などから求めることができる。測定対象となる粒子にレーザー光を照射すると空間的に回折／散乱光の光強度分布パターンが生じ、この光強度パターンは粒子径と対応関係があることから、粒子径および粒子径分布が測定できる。
ここで、本発明における粒子径および粒子径分布は、体積基準分布から得られたものである。具体的には、Mastersizer2000(Malvern Instruments Ltd.）測定機を用いて、窒素気流中に粒子を投入し、付属の解析ソフト（Mie理論を用いた体積基準分布を基本としたソフト）にて、粒子径および粒子径分布の測定を行うことができる。
【００４７】
さらに、表示媒体用粒子で構成する粒子群や粉流体等の表示媒体を乾式の情報表示用パネルに適用する場合には、基板間の表示媒体を取り巻く空隙部分の気体の管理が重要であり、表示安定性向上に寄与する。具体的には、空隙部分の気体の湿度について、２５℃における相対湿度を６０％RH以下、好ましくは５０％RH以下とすることが重要である。
この空隙部分とは、図１（ａ），（ｂ）〜図３（ａ），（ｂ）において、対向する基板１、基板２に挟まれる部分から、電極５、６（電極を基板の内側に設けた場合）、表示媒体３の占有部分、隔壁４の占有部分（隔壁を設けた場合）、情報表示用パネルのシール部分を除いた、いわゆる表示媒体が接する気体部分を指すものとする。
空隙部分の気体は、先に述べた湿度領域であれば、その種類は問わないが、乾燥空気、乾燥窒素、乾燥アルゴン、乾燥ヘリウム、乾燥二酸化炭素、乾燥メタンなどが好適である。この気体は、その湿度が保持されるように情報表示用パネルに封入することが必要であり、例えば、表示媒体の充填、情報表示用パネルの組み立てなどを所定湿度環境下にて行い、さらに、外からの湿度侵入を防ぐシール材、シール方法を施すことが肝要である。
【００４８】
本発明の対象となる情報表示用パネルにおける基板と基板との間隔は、表示媒体が移動できて、コントラストを維持できればよいが、通常１０〜５００μｍ、好ましくは１０〜２００μｍに調整される。
対向する基板間の空間における表示媒体の体積占有率は５〜７０％が好ましく、さらに好ましくは５〜６０％である。７０％を超える場合には表示媒体の移動の支障をきたし、５％未満の場合にはコントラストが不明確となり易い。
【実施例】
【００４９】
以下、本発明の実施例および比較例を示して、本発明をさらに具体的に説明するが、本発明は下記に限定されるものではない。
【００５０】
＜実施例１＞
図４に示す製造方法により、連続した基板シートを枚葉に裁断した枚葉基板１５および枚葉基板１６を貼り合わせ工程において貼り合わせることにより、実施例１の情報表示用パネルを作製した。
【００５１】
＜比較例１＞
図６に示す製造方法により、連続した基板シート１２を表示媒体充填工程および表示媒体除去工程を通した後に、貼り合わせ工程において、連続した基板シート１２と枚葉基板１６とをラミネート用ロール１７によってロールラミネートして貼り合わせ、その後、裁断工程を行うことにより、比較例１の情報表示用パネルを作製した。
【００５２】
実施例１の情報表示用パネルおよび比較例１の情報表示用パネルを顕微鏡観察したところ、実施例１の情報表示用パネルは上下基板のずれがほとんど見られなかったが、比較例１の情報表示用パネルは上下基板のずれが大きかった。
【産業上の利用可能性】
【００５３】
本発明の情報表示用パネルの製造方法によって作製した情報表示用パネルは、画像ムラがなく、ノートパソコン、ＰＤＡ、携帯電話、ハンディターミナル等のモバイル機器の表示部、電子ブック、電子新聞等の電子ペーパー、看板、ポスター、黒板等の掲示板、電卓、家電製品、自動車用品等の表示部、ポイントカード、ＩＣカード等のカード表示部、電子広告、電子ＰＯＰ、電子棚札、電子値札、電子楽譜、ＲＦ−ＩＤ機器の表示部などに好適に用いられる。
【図面の簡単な説明】
【００５４】
【図１】（ａ），（ｂ）はそれぞれ、本発明の対象となる情報表示用パネルの一例を示す図である。
【図２】（ａ），（ｂ）はそれぞれ、本発明の対象となる情報表示用パネルの他の例を示す図である。
【図３】（ａ），（ｂ）はそれぞれ、本発明の対象となる情報表示用パネルのさらに他の例を示す図である。
【図４】本発明の情報表示用パネルの製造方法の一例を説明するための図である。
【図５】本発明の対象となる情報表示用パネルにおける隔壁の形状の一例を示す図である。
【図６】比較例の情報表示用パネルの製造方法を説明するための図である。
【符号の説明】
【００５５】
１，２  基板
３  表示媒体（粒子群、粉流体）
３Ｗ  白色表示媒体
３Ｂ  黒色表示媒体
３Ｗａ  白色表示媒体用粒子
３Ｂａ  黒色表示媒体用粒子
４  隔壁
５  電極
６  電極
１１  ロール
１２  基板シート
１３  除去ロール
１４  カッター
１５  枚葉基板
１６  枚葉基板
１７  ラミネート用ロール
【図１】
2007163659.tif 000003
【図２】
2007163659.tif 000004
【図３】
2007163659.tif 000005
【図４】
2007163659.tif 000006
【図５】
2007163659.tif 000007
【図６】
2007163659.tif 000008